(57)【要約】【課題】応答可能な通信端末に対して通信の開始を要求する場合でも、例えば、要求先の通信端末の利用者が開始要求に気づかない等の理由で着信応答の操作が遅れることで、通信端末が通信の開始を要求してから通信が開始されるまでの待機時間が長くなる。【解決手段】管理装置６０の待機端末管理ＤＢ６００１は、通信の開始要求に対して操作入力を受け付けることなく応答を送信可能な一以上の端末１０のうち、通信の開始を待機している端末１０の端末ＩＤを管理する。管理装置６０の送受信部６１は、待機端末管理ＤＢ６００１において管理されている端末ＩＤを、通信の開始要求元の端末１０へ送信する。【選択図】図１
2016123010.tif 000002
【特許請求の範囲】
【請求項１】
通信の開始要求に対して操作入力を受け付けることなく応答を送信可能な一以上の通信端末のうち、通信の開始を待機している通信端末の識別情報を管理する管理手段と、
前記管理手段において管理されている前記識別情報によって識別される通信端末への宛先を示す宛先情報を、通信の開始要求元の通信端末へ送信する送信手段と、
を有することを特徴とする管理システム。
【請求項２】
前記通信の開始要求に対して応答可能である状態を示す状態情報を受信する受信手段と、
前記受信手段によって前記応答可能である状態を示す状態情報が受信されてから、該状態情報の送信元の通信端末の識別情報を追加し、前記宛先情報によって示される宛先の通信端末の識別情報を削除することにより、前記管理手段において管理される情報を更新する更新手段と、
を有することを特徴とする請求項１に記載の管理システム。
【請求項３】
前記受信手段は、前記通信の開始要求に対して応答不可能である状態を示す状態情報を受信し、
前記更新手段は、前記受信手段によって前記応答不可能である状態を示す状態情報が受信されてから、該状態情報の送信元の通信端末の識別情報を削除することにより、前記管理手段において管理される情報を更新することを特徴とする請求項２に記載の管理システム。
【請求項４】
前記管理手段において複数の前記識別情報が管理されている場合に、前記送信手段は、複数の前記識別情報のうち最先に追加された前記識別情報によって識別される通信端末への宛先を示す宛先情報を前記通信の開始要求元の通信端末へ送信することを特徴とする請求項２又は３に記載の管理システム。
【請求項５】
請求項２乃至４のいずれか一項に記載の管理システムへ、前記応答可能である状態を示す状態情報を送信する送信手段と、
前記通信の開始要求に対して、前記操作入力を受け付けることなく、前記通信の開始要求元の通信端末へ、前記応答を送信する応答手段と、
を有することを特徴とする通信端末。
【請求項６】
請求項１乃至４のいずれか一項に記載の管理システムから送られてくる前記宛先情報を受信する受信手段と、
前記受信手段によって受信される前記宛先情報に基づいて通信の開始要求を送信する送信手段と、
を有することを特徴とする通信端末。
【請求項７】
請求項１乃至４のいずれか一項に記載の管理システムと、
第１の通信端末と、
第２の通信端末と、
を備えたことを特徴とする通信システム。
【請求項８】
前記第１の通信端末は、
前記管理システムへ、前記通信の開始要求に対して応答可能である状態を示す状態情報を送信する送信手段と、
前記通信の開始要求に対して、前記操作入力を受け付けることなく、前記通信の開始要求元の通信端末へ、前記応答を送信する応答手段と、を有し、
前記第２の通信端末は、
前記管理システムから送られてくる前記宛先情報を受信する受信手段と、
前記受信手段によって受信される前記宛先情報に基づいて通信の開始要求を送信する送信手段と、
を有することを特徴とする請求項７に記載の通信システム。
【請求項９】
通信の開始要求に対して操作入力を受け付けることなく応答を送信可能な一以上の通信端末のうち、通信の開始を待機している通信端末の識別情報を管理する管理手段を有する管理システムに、
前記管理手段において管理されている識別情報によって識別される通信端末への宛先を示す宛先情報を、通信の開始要求元の通信端末へ送信する処理
を実行させることを特徴とする呼制御方法。
【請求項１０】
前記通信の開始を待機している通信端末に、
前記管理システムへ、前記通信の開始要求に対して応答可能である状態を示す状態情報を送信する処理と、
前記通信の開始要求に対して、前記操作入力を受け付けることなく、前記通信の開始要求元の通信端末へ、前記応答を送信する処理と、
を実行させることを特徴とする請求項９に記載の呼制御方法。
【請求項１１】
前記通信の開始要求元の通信端末に、
前記管理システムから送られてくる前記宛先情報を受信する処理と、
受信された前記宛先情報に基づいて通信の開始要求を送信する処理と、
を実行させることを特徴とする請求項１０に記載の呼制御方法。
【請求項１２】
前記管理システムに、請求項９に記載の各処理を実行させることを特徴とするプログラム。
【請求項１３】
前記通信端末に、請求項１０に記載の各処理を実行させることを特徴とするプログラム。
【請求項１４】
前記通信端末に、請求項１１に記載の各処理を実行させることを特徴とするプログラム。
【発明の詳細な説明】
【技術分野】
【０００１】
本発明は、管理システム、通信端末、通信システム、呼制御方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末間で通信を開始すると、画像データ及び音データ等のコンテンツデータの送受信が行われ、拠点間のコミュニケーションを実現する。
【０００３】
テレビ会議システムや、ＩＰ電話等の通信システムでは、それぞれの呼制御のプロトコルに従って、一方の通信端末による通信の開始要求に対して、他方の通信端末が応答を許可することにより、通信端末間の通信が確立される。
【０００４】
ところで、最近では、コールセンターにおいてテレビ会議システム等の通信システムが用いられている。例えば、テレビ電話からの接続要求に応じて、コールセンター装置が、現在着信可能なオペレータ端末を選択する方法が開示されている（特許文献１参照）。この方法によると、選択されたオペレータ端末において、オペレータが着信を受ける操作を行うことで、コールセンター装置は、選択されたオペレータ端末とテレビ電話との間に映像及び音声の通信チャネルを開設する。
【発明の概要】
【発明が解決しようとする課題】
【０００５】
しかしながら、応答可能な通信端末に対して通信の開始を要求する場合でも、例えば、開始要求先の通信端末の利用者が開始要求に気づかない等の理由で着信応答の操作が遅れることで、通信端末が通信の開始を要求してから通信が開始されるまでの時間が長くなるという課題が生じる。
【課題を解決するための手段】
【０００６】
請求項１に記載の管理システムは、通信の開始要求に対して操作入力を受け付けることなく応答を送信可能な一以上の通信端末のうち、通信の開始を待機している通信端末の識別情報を管理する管理手段と、前記管理手段において管理されている前記識別情報によって識別される通信端末への宛先を示す宛先情報を、通信の開始要求元の通信端末へ送信する送信手段と、を有することを特徴とする。
【発明の効果】
【０００７】
以上説明したように本発明によれば、通信端末が通信の開始を要求してから通信が開始されるまでの時間を短縮し得るという効果を奏する。
【図面の簡単な説明】
【０００８】
【図１】一実施形態に係る通信システムの全体構成図である。
【図２】一実施形態に係る端末の外観図である。
【図３】一実施形態に係る端末のハードウェア構成図である。
【図４】一実施形態に係る制御装置、管理装置、ストレージサービス、及び中継装置のハードウェア構成図である。
【図５】一実施形態に係る端末、制御装置、及び管理装置の各機能ブロック図である。
【図６】待機端末管理テーブルを示す概念図である。
【図７】端末が状態情報を送信する処理を示したシーケンス図である。
【図８】端末が通信の開始要求を送信する処理を示したシーケンス図である。
【図９】通信の開始を待機する端末１０のキューを管理する処理を示したフロー図である。
【図１０】セッションを確立する処理を示したシーケンス図である。
【発明を実施するための形態】
【０００９】
以下、図面を用いて、本発明の実施形態について説明する。
【００１０】
＜＜通信システムの全体構成＞＞
まず、図１を用いて、本発明の一実施形態に係る通信システムの全体構成について説明する。図１は、一実施形態に係る通信システムの全体構成図である。以下、通信端末を、単に「端末」と略して説明する。
【００１１】
一実施形態に係る通信システム１は、複数の端末（１０ａａ，１０ｂｂ，１０ｃｃ，１０ｄｄ）、中継装置３０、及び、管理システム５により構築される。管理システム５は、制御装置５０、管理装置６０、及びストレージサービス７０を備えている。以下、複数の端末（１０ａａ，１０ｂｂ，１０ｃｃ，１０ｄｄ）等のうち、任意の端末は「端末１０」と表されている。端末１０、中継装置３０、制御装置５０、管理装置６０、及びストレージサービス７０は、それぞれ、通信ネットワーク２を介して、他の端末、装置との間で通信可能に接続されている。通信ネットワーク２は、ＬＡＮ(Local Area Network)、インターネット、携帯電話網、あるいは専用線等を含んでいても良い。
【００１２】
一実施形態において、端末１０は、管理システム５側によって提供されるレセプションサービスを利用することができる。例えば、端末（１０ａａ，１０ｂｂ）は、企業や展示会等における受付窓口に設置されており、ゲストによって利用される。一方、端末（１０ｃｃ，１０ｄｄ）は、コールセンターに設置されており、レセプショニストによって利用される。端末（１０ａａ，１０ｂｂ）と、端末（１０ｃｃ，１０ｄｄ）との間では、コンテンツデータの送受信による通信が行なわれ、これによりゲストとレセプショニストとの間で通話することができる。なお、図１に示されている一実施形態の通信システム１において、ゲスト側の端末（１０ａａ，１０ｂｂ）は、操作性を考慮して、端末（１０ｃｃ，１０ｄｄ）と同じハードウェア構成を有する端末本体がキャビネットに収容されている。
【００１３】
ストレージサービス７０は、管理装置６０へアクセスための情報を管理する。この情報は、例えば、管理装置６０へアクセスためのＧＵＩ（graphical user interface）表示用のファイルである。このファイルは、例えば、HTML（HyperText Markup Language）によって記述されていても良い。また、このファイルは、PC(Personal Computer)等からストレージサービス７０にアクセスして、PC側からストレージサービス側に新たなファイルをアップロードすることによって更新される。ストレージサービス７０は、上記のファイルを端末１０へ送信することで、端末１０を管理装置６０へアクセスさせる。
【００１４】
管理装置６０は、通信の開始を待機している端末１０のキュー（待ち行列）を管理する。管理装置６０は、キューに基づいて端末１０間の接続を管理する。制御装置５０は、端末１０間でコンテンツデータを送信するためのセッションを確立するための制御を行う。各端末１０は、同じセッションに参加している他の端末１０へコンテンツデータを送信する。なお、一実施形態において、セッションは、中継装置３０が、複数の端末１０間で画像データ、及び音データを含むコンテンツデータを中継することで実現される。
【００１５】
本実施形態では、コミュニケーションシステムの一例としてのビデオ会議システム、コミュニケーション管理システムの一例としてのビデオ会議管理システム、及びコミュニケーション端末の一例としてのビデオ会議端末を想定した上で、通信システム１、管理システム５、及び端末１０について説明する。即ち、端末１０及び管理システム５０は、ビデオ会議システムに適用されるだけでなく、他のコミュニケーションシステムにも適用される。例えば、通信システム１は電話システムであり、端末１０は、ＩＰ(Internet Protocol)電話機や、インターネット電話機、ＰＣ(Personal Computer)等であってもよい。なお、実施形態において、「ビデオ会議」は、「テレビ会議」と置き換え可能に用いられる。更に、以下、ビデオ会議端末（下位概念）等の端末（中位概念）によって、通話を行うことに関して説明するが、これに限るものではなく、通話を含めたより広い概念として通信を行うことができればよい。
【００１６】
＜＜実施形態のハードウェア構成＞＞
次に、本実施形態のハードウェア構成を説明する。図２は、一実施形態に係る端末１０の外観図である。図２に示されているように、端末１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、吸気面を介して端末１０の後方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００１７】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００１８】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００１９】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図２は、チルト角θ１が９０度の状態を示している。カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００２０】
なお、上記図２の外観図はあくまで一例であってこの外観に限定するものではない。端末１０は例えば汎用的なＰＣ、スマートフォン、タブレット型端末、であってもよい。カメラやマイクは必ずしも内蔵型である必要はなく外付けであってもよい。
【００２１】
なお、中継装置３０、中継管理装置４０、制御装置５０、及び管理装置６０は、それぞれ一般のサーバコンピュータの外観と同じであるため、外観の説明を省略する。
【００２２】
図３は、一実施形態に係る端末１０のハードウェア構成図である。図３に示されているように、一実施形態の端末１０は、端末１０全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、端末１０の各種端末用プログラム、画像データ、及び音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリやＩＣカード（Integrated Circuit Card）等の記録メディア１０６に対するデータの読み出し又は書き込み（記憶）を制御するメディアＩ／Ｆ１０７、宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００２３】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、端末１０の各種機能の異常を知らせるアラームランプ１１９、及び上記各構成要素を図３に示されているように電気的に接続するためのアドレスバスやデータバス等のバスライン１１０を備えている。
【００２４】
ディスプレイ１２０は、被写体の画像や操作用等を表示する液晶や有機ＥＬ(Organic Electroluminescence)によって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００２５】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００２６】
外部機器接続Ｉ／Ｆ１１８には、筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００２７】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００２８】
図４は、一実施形態に係る制御装置５０のハードウェア構成図である。制御装置５０は、制御装置５０全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、制御装置５０用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク２を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録メディアの一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図４に示されているように電気的に接続するためのアドレスバスやデータバス等のバスライン５１０を備えている。
【００２９】
中継装置３０、管理装置６０、及びストレージサービス７０は、制御装置５０と同様のハードウェア構成を有しているため、その説明を省略する。
【００３０】
なお、端末１０、中継装置３０、制御装置５０、管理装置６０、及びストレージサービス７０用の各プログラムは、インストール可能な形式又は実行可能な形式のファイルによって、コンピュータで読み取り可能な記録メディアに記録されて流通されるようにしてもよい。また、上記記録メディアの例として、ＣＤ−Ｒ(Compact Disc Recordable)、ＤＶＤ(Digital Versatile Disk)、ブルーレイディスク等が挙げられる。また、各プログラムが記憶されたＣＤ−ＲＯＭ等の記録メディア、並びに、これらプログラムが記憶されたＨＤ５０４は、プログラム製品(Program Product)として、国内又は国外へ提供されることができる。
【００３１】
＜＜実施形態の機能構成＞＞
次に、図３、図４及び図５を用いて、本実施形態の機能構成について説明する。図５は、一実施形態に係る通信システムの機能ブロック図である。以下、「アプリケーション」を「アプリ」と略して説明する。
【００３２】
＜端末の機能構成＞
端末１０は、送受信部１１、受付部１２、通信制御部１３、表示制御部１７、及び記憶・読出部１９を有している。これら各部は、図３に示されている各構成要素のいずれかが、フラッシュメモリ１０４からＲＡＭ１０３上に展開された端末用プログラムに従ったＣＰＵ１０１からの命令によって動作することで実現される機能、又は機能する手段である。端末（１０ａａ，１０ｂｂ）には、端末用プログラムとして、レセプションサービスにおけるゲスト側へ提供されるサービスを実現するためのゲストアプリがインストールされている。端末（１０ｃｃ，１０ｄｄ）には、端末用プログラムとして、レセプションサービスにおけるレセプショニスト側へのサービスを実現するためのレセプショニストアプリがインストールされている。即ち、端末１０の機能構成の少なくとも一部は、ゲストアプリ又はレセプショニストアプリによって実現される。
【００３３】
また、端末１０は、ＲＡＭ１０３、及びフラッシュメモリ１０４によって構築される記憶部１０００を有している。更に、端末１０には、記録メディア１０６によって構築される記録媒体１０１０が挿入されており、記憶・読出部１９によって各種データの読み出し又は書き込みが行なわれる。
【００３４】
（端末の各機能構成）
次に、端末１０の各機能構成について詳細に説明する。なお、以下では、端末１０の各機能構成を説明するにあたって、図３に示されている各構成要素のうち、端末１０の各機能構成を実現させるための主な構成要素との関係も説明する。
【００３５】
送受信部１１は、ＣＰＵ１０１からの命令、及びネットワークＩ／Ｆ１１１によって実現され、通信ネットワーク２を介して他の端末、装置又はシステムと各種データ（または情報）の送受信を行う。
【００３６】
受付部１２は、ＣＰＵ１０１からの命令によって実現され、利用者による操作ボタン１０８の操作又は利用者による電源スイッチ１０９の押下等の各種入力を受け付ける。
【００３７】
通信制御部１３は、ＣＰＵ１０１からの命令、並びにカメラ１１２及び撮像素子Ｉ／Ｆ１１３によって実現され、被写体を撮像して、この撮像によって得た画像データを出力する。また、通信制御部１３は、ＣＰＵ１０１からの命令、及び音声入出力Ｉ／Ｆ１１６によって実現され、マイク１１４によって利用者の音声が音声信号に変換された後、この音声信号に係る音データを入力する。更に、通信制御部１３は、ＣＰＵ１０１からの命令、及び音声入出力Ｉ／Ｆ１１６によって実現され、音データに係る音声信号をスピーカに出力し、スピーカ１１５から音声を出力させる。
【００３８】
表示制御部１７は、ＣＰＵ１０１からの命令、及びディスプレイＩ／Ｆ１１７によって実現され、受信された画像データをディスプレイ１２０に送信するための制御を行う。
【００３９】
記憶・読出部１９は、ＣＰＵ１０１からの命令及びＳＳＤ１０５によって実行され、又はＣＰＵ１０１からの命令によって実現され、記憶部１０００又は記録媒体１０１０に各種データを記憶したり、記憶部１０００又は記録媒体１０１０に記憶された各種データを読み出したりする処理を行う。記憶部１０００には、端末１０を識別するための端末ＩＤ(Identification）、及びパスワード等が記憶される。なお、端末ＩＤとパスワードの少なくとも一方は、記録媒体１０１０に記録されており、記憶・読出部１９によって読み出されるようにしてもよい。この場合の記録媒体１０１０は、ＳＩＭカード(Subscriber Identity Module Card)等のＩＣカード(Integrated circuit card)である。そして、端末１０の利用者は、記録媒体１０１０を購入することで、管理システム５の管理者から通信サービスの提供を受けることができる。
【００４０】
更に、記憶部１０００には、宛先端末との通話を行う際に受信される画像データ及び音データが、受信される度に上書き記憶される。このうち、上書きされる前の画像データによってディスプレイ１２０に画像が表示され、上書きされる前の音データによってスピーカ１１５から音声が出力される。
【００４１】
なお、本実施形態の端末ＩＤは、端末１０を一意に識別するために使われる言語、文字、記号、又は各種のしるし等の識別情報の一例を示す。また、端末ＩＤは、上記言語、文字、記号、及び各種のしるしのうち、少なくとも２つが組み合わされた識別情報であってもよい。また、端末ＩＤに代えて、端末１０の利用者を識別するための利用者ＩＤを利用してもよい。この場合、端末識別情報には、端末ＩＤだけでなく、利用者ＩＤも含まれる。
【００４２】
＜制御装置の機能構成＞
制御装置５０は、送受信部５１、セッション制御部５８、及び記憶・読出部５９を有している。これら各部は、図４に示されている各構成要素のいずれかが、ＨＤ５０４からＲＡＭ５０３上に展開された制御装置５０用のプログラムに従ったＣＰＵ５０１からの命令によって動作することで実現される機能又は手段である。また、制御装置５０は、ＨＤ５０４により構築される記憶部５０００を有している。
【００４３】
（制御装置の各機能構成）
次に、制御装置５０の各機能構成について詳細に説明する。なお、以下では、制御装置５０の各機能構成を説明するにあたって、図４に示されている各構成要素のうち、制御装置５０の各機能構成を実現させるための主な構成要素との関係も説明する。
【００４４】
送受信部５１は、ＣＰＵ５０１からの命令、及びネットワークＩ／Ｆ５０９によって実現され、通信ネットワーク２を介して各端末、装置又はシステムと各種データ（または情報）の送受信を行う。
【００４５】
セッション制御部５８は、ＣＰＵ５０１からの命令によって実現され、端末１０間でコンテンツデータを送信するセッションを制御する。上記の制御としては、セッションを確立するための制御、確立されたセッションに端末１０を参加させる制御、セッションを切断する制御等が含まれる。
【００４６】
記憶・読出部５９は、ＣＰＵ５０１からの命令及びＨＤＤ５０５によって実現され、又はＣＰＵ５０１からの命令によって実現され、記憶部５０００に各種データを記憶したり、記憶部５０００に記憶された各種データを読み出す処理を行う。
【００４７】
＜管理装置の機能構成＞
管理装置６０は、送受信部６１、管理部６３、及び記憶・読出部６９を有している。これら各部は、図４に示されている各構成要素のいずれかが、ＨＤ５０４からＲＡＭ５０３上に展開された管理装置用のプログラムに従ったＣＰＵ５０１からの命令によって動作することで実現される機能又は手段である。また、管理装置６０は、ＨＤ５０４により構築される記憶部６０００を有している。この記憶部６０００には、各テーブルによって構成されている各ＤＢが構築されている。
【００４８】
（待機端末管理テーブル）
記憶部６０００には、待機端末管理テーブルによって構成される待機端末管理ＤＢ６００１が構築される。図６は、待機端末管理テーブルを示す概念図である。なお、図６（Ａ）乃至（Ｇ）は、一つの待機端末管理テーブルに記録される情報の遷移を示したものである。待機端末管理テーブルにおけるゲストアプリのフィールドには、通信の開始を待機している端末１０のうちゲストアプリを起動している端末１０の端末ＩＤが記録される。待機端末管理テーブルにおけるレセプショニストアプリのフィールドには、通信の開始を待機している端末１０のうちレセプショニストアプリを起動している端末１０の端末ＩＤが記録される。待機端末管理テーブルの各フィールドは、通信の開始を待機する端末１０の待ち行列（キュー）を構成する。一実施形態において、各フィールドへの端末ＩＤの入出力は、原則として、先入れ先出しにより行われる。すなわち、各フィールドに端末ＩＤを追加（エンキュー）するときには、そのフィールドにおける末尾のレコードに追加され、各フィールドから端末ＩＤを取り出す（デキューする）ときには、そのフィールドにおける先頭のレコードから取り出される。デキューされてから残っているレコードは先頭方向に繰り上げられる。具体的には、待機端末管理テーブルのレセプショニストアプリのフィールドに追加された端末ＩＤ「０１ｃｃ」は、後から追加された端末ＩＤ「０１ｄｄ」よりも先に取り出される（図６（Ａ）乃至（Ｃ）参照）。
【００４９】
なお、待機端末管理テーブルに入力される端末ＩＤは、通信先の端末１０を識別可能な識別情報であれば良い。従って、通信先の端末１０を識別可能なものであれば、端末ＩＤは、端末１０自体の識別情報に限られない。例えば、管理装置６０において各端末１０自体の識別情報とその端末１０のユーザのユーザＩＤを関連付けて管理している場合には、通信先の端末１０を識別可能な端末ＩＤとしてユーザＩＤを用いることもできる。また、管理装置６０において各端末１０自体の識別情報とその端末１０において起動しているアプリのアカウントを関連付けて管理している場合には、通信先の端末１０を識別可能な端末ＩＤとしてアカウントを用いることもできる。
【００５０】
（管理装置の各機能構成）
送受信部６１は、ＣＰＵ５０１からの命令、及びネットワークＩ／Ｆ５０９によって実現され、通信ネットワーク２を介して他の端末、装置又はシステムと各種データ（または情報）の送受信を行う。
【００５１】
管理部６３は、ＣＰＵ５０１からの命令によって実現され、待機端末管理テーブルにおいて情報を追加したりあるいは削除したりすることにより、待機端末管理テーブルを管理する。
【００５２】
記憶・読出部６９は、ＣＰＵ５０１からの命令及びＨＤＤ５０５によって実現され、又はＣＰＵ５０１からの命令によって実現され、記憶部６０００に各種データを記憶したり、記憶部６０００に記憶された各種データを読み出す処理を行う。
【００５３】
＜＜実施形態の処理または動作＞＞
続いて、通信システム１を構成する端末１０、中継装置３０、制御装置５０、管理装置６０、及びストレージサービス７０の処理または動作について詳細に説明する。
【００５４】
（状態情報の送信）
まずは、図７を用いて、レセプショニスト側の端末（１０ｃｃ又は１０ｄｄ）が、通信の開始要求に対して応答可能な状態を示す状態情報を管理装置６０へ送信する処理について説明する。図７は、端末１０が状態情報を送信する処理を示したシーケンス図である。
【００５５】
端末（１０ｃｃ又は１０ｄｄ）の受付部１２は、利用者（レセプショニスト）による操作入力に基づいてレセプショニストアプリの起動要求を受け付けると、レセプショニストアプリを起動する（ステップＳ１）。以後、端末（１０ｃｃ又は１０ｄｄ）における各処理は、レセプショニストアプリによって実現される。
【００５６】
レセプショニストアプリが起動すると、送受信部１１は、管理装置６０へログイン要求を送信する（ステップＳ２）。このログイン要求には、ログイン要求元の端末（１０ｃｃ又は１０ｄｄ）の端末ＩＤ、端末（１０ｃｃ又は１０ｄｄ）において起動しているレセプショニストアプリのアプリＩＤ、及び認証用の情報等が含まれていても良い。認証用の情報には、端末ＩＤに対応するパスワード、アプリのアカウント、このアカウントに対応するパスワード等が含まれていても良い。これに応じて、管理装置６０が端末（１０ｃｃ又は１０ｄｄ）の認証に成功すると、端末（１０ｃｃ又は１０ｄｄ）は、管理装置６０と接続する。同様に、送受信部１１は、制御装置５０へログイン要求を送信する（ステップＳ３）。これに応じて、制御装置５０が端末（１０ｃｃ又は１０ｄｄ）の認証に成功すると、端末（１０ｃｃ又は１０ｄｄ）は、制御装置５０と接続する。上記のログイン処理を行うことで、端末１０側が情報送信の度に、端末ＩＤ、アプリＩＤ等を付さなくても、送信先の管理装置６０又は制御装置５０は、送信元の端末１０、或いは端末１０で起動しているアプリを特定できるようになる。なお、端末１０及び管理装置６０間の接続、或いは端末１０及び制御装置５０間の接続として、例えば、リアルタイム接続が用いられる。
【００５７】
続いて、端末（１０ｃｃ又は１０ｄｄ）の利用者は、ゲスト側との通話を開始できる状態となると、操作ボタン１０８を操作して待ち受けを開始する旨の情報を入力する。これにより、受付部１２は、待受開始を受け付ける（ステップＳ４）。続いて、送受信部１１は、通信の開始要求に対して「応答可能」である状態を示す状態情報を管理装置６０へ送信する（ステップＳ５）。
【００５８】
端末（１０ｃｃ又は１０ｄｄ）は、待受開始を受け付けたとき以外でも、応答可能な状態になる度に状態情報を管理装置６０へ送信する。例えば、受付部１２が終話を受け付ける（ステップＳ６）と、端末（１０ｃｃ又は１０ｄｄ）の利用者は新たな通話を開始できるようになるため、送受信部１１は、自動的に通信の開始要求に対して「応答可能」である状態を示す状態情報を管理装置へ送信する（ステップＳ７）。
【００５９】
一方、端末（１０ｃｃ又は１０ｄｄ）の利用者は、一時的に席を離れる場合など、ゲスト側との通話を開始できない状態となると、操作ボタン１０８を操作して応答できない旨の情報を入力する。これにより、受付部１２は、応答できない旨を受け付ける（ステップＳ８）。この場合、送受信部１１は、通信の開始要求に対して「応答不可能」である状態を示す状態情報を管理装置６０へ送信する（ステップＳ９）。
【００６０】
続いて、図８を用いて、ゲスト側の端末（１０ａａ又は１０ｂｂ）が、通信の開始要求を管理装置６０へ送信する処理について説明する。図８は、端末１０が通信の開始要求を送信する処理を示したシーケンス図である。
【００６１】
端末（１０ａａ又は１０ｂｂ）の受付部１２は、利用者（ゲスト）による操作入力に基づいてゲストアプリの起動要求を受け付けると、ゲストアプリを起動する（ステップＳ２１）。以後、端末（１０ａａ又は１０ｂｂ）における各処理はゲストアプリによって実現される。
【００６２】
ゲストアプリが起動すると、送受信部１１は、ストレージサービス７０へアクセスして通信の開始要求受付画面を要求する（ステップＳ２２）。これに応じて、ストレージサービス７０は、要求元の端末（１０ａａ又は１０ｂｂ）へ、通信の開始要求受付画面を公開する（ステップＳ２３）。端末（１０ａａ又は１０ｂｂ）では、表示制御部１７が通信の開始要求受付画面をディスプレイ１２０へ出力する制御を行う。
【００６３】
また、端末（１０ａａ又は１０ｂｂ）の送受信部１１は、ステップＳ２と同様にして、管理装置６０へログイン要求を送信する（ステップＳ２４）。但し、ログイン要求に含まれるアプリＩＤは、ゲストアプリのアプリＩＤである。ログイン要求に応じて、管理装置６０が端末（１０ａａ又は１０ｂｂ）の認証に成功すると、端末（１０ａａ又は１０ｂｂ）は、管理装置６０と接続する。続いて、送受信部１１は、ステップＳ３と同様にして、制御装置５０へログイン要求を送信する（ステップＳ２５）。ログイン要求に応じて、制御装置５０が端末（１０ａａ又は１０ｂｂ）の認証に成功すると、端末（１０ａａ又は１０ｂｂ）は、制御装置５０と接続する。
【００６４】
続いて、端末（１０ａａ又は１０ｂｂ）の利用者は、レセプショニスト側との通話を要求するときに、操作ボタン１０８を操作して開始要求受付画面から開始要求を入力する。これにより、受付部１２は、開始要求の入力を受け付ける（ステップＳ２６）。続いて、送受信部１１は、通信の開始要求を示す情報を管理装置６０へ送信する（ステップＳ２７）。
【００６５】
一方、端末（１０ａａ又は１０ｂｂ）の利用者は、開始要求後に開始要求をキャンセルする場合、操作ボタン１０８を操作して、開始要求受付画面からキャンセルする旨の情報を入力する。これにより、受付部１２は、キャンセルの入力を受け付ける（ステップＳ２８）。この場合、送受信部１１は、開始要求のキャンセルを示す情報を管理装置６０へ送信する（ステップＳ２９）。
【００６６】
（キュー管理）
続いて、図９を用いて、管理装置６０が、通信の開始を待機する端末１０のキューを管理する処理について説明する。図９は、通信の開始を待機する端末１０のキューを管理する処理を示したフロー図である。
【００６７】
管理装置６０の送受信部６１が端末１０から送られてきた状態情報又は開始要求を受信すると、管理部６３は、端末１０から送られてきた情報がレセプショニストアプリによって送信される「応答可能」な状態を示す状態情報であるか否かを判断する（ステップＳ４１）。
【００６８】
送られてきた情報が、「応答可能」な状態を示す状態情報である（ＹＥＳ）と判断された場合、管理部６３は、待機端末管理テーブルを参照して、ゲストアプリのフィールドが空（Empty）であるか否かを判断する（ステップＳ４２）。
【００６９】
ゲストアプリのフィールドが空である（ＹＥＳ）と判断された場合、管理部６３は、待機端末管理テーブルのレセプショニストアプリのフィールドにおける末尾のレコードに、「応答可能」な状態を示す状態情報の送信元の端末１０の端末ＩＤを追加（エンキュー）する（ステップＳ４３）。
【００７０】
ゲストアプリのフィールドが空ではない（ＮＯ）と判断された場合、管理部６３は、待機端末管理テーブルのゲストアプリのフィールドにおける先頭のレコードから、端末ＩＤを取り出す（デキューする）（ステップＳ４４）。
【００７１】
ステップＳ４１において端末１０から送られてきた情報が、「応答可能」な状態を示す状態情報ではない（ＮＯ）と判断された場合、管理部６３は、送られてきた情報が、ゲストアプリによって送信された通信の開始要求であるか否かを判断する（ステップＳ４５）。
【００７２】
送られてきた情報が通信の開始要求である（ＹＥＳ）と判断された場合、管理部６３は、待機端末管理テーブルを参照して、レセプショニストアプリのフィールドが空（Empty）であるか否かを判断する（ステップＳ４６）。
【００７３】
レセプショニストアプリのフィールドが空である（ＹＥＳ）と判断された場合、管理部６３は、待機端末管理テーブルのゲストアプリのフィールドにおける末尾のレコードに、通信の開始要求の送信元の端末１０の端末ＩＤを追加（エンキュー）する（ステップＳ４７）。
【００７４】
レセプショニストアプリのフィールドが空ではない（ＮＯ）と判断された場合、管理部６３は、待機端末管理テーブルのレセプショニストアプリのフィールドにおける先頭のレコードから、端末ＩＤを取り出す（デキューする）（ステップＳ４８）。
【００７５】
端末１０から送られてきた情報が通信の開始要求ではない（ＮＯ）と判断された場合、すなわち、送られてきた情報が「応答不可能」な状態を示す状態情報、あるいは開始要求のキャンセルを示す情報である場合、先入れ先出し処理の例外として、管理部６３は、待機端末管理テーブルから情報の送信元の端末１０の端末ＩＤを削除する（ステップＳ４９）。例えば、端末１０から送られてきた情報が「応答不可能」な状態を示す状態情報である場合には、管理部６３は、待機端末管理テーブルのレセプショニストアプリのフィールドから、送信元の端末１０の端末ＩＤを削除する。端末１０から送られてきた情報が開始要求のキャンセルを示す情報である場合には、管理部６３は、待機端末管理テーブルのゲストアプリのフィールドから、送信元の端末１０の端末ＩＤを削除する。
【００７６】
このようにして、待機端末管理テーブルにおいて管理される端末ＩＤは、端末１０から送られてきた情報に基づいて更新される。例えば、待機端末管理テーブルが空（Empty）の状態であるときに、端末１０ｃｃから「応答可能」な状態を示す状態情報が送られてくると、ステップＳ４３の処理により、レセプショニストアプリのフィールドに端末１０ｃｃの端末ＩＤ「０１ｃｃ」が追加される（図６（Ａ）参照）。
【００７７】
続いて、端末１０ｄｄから「応答可能」な状態を示す状態情報が送られてくると、ステップＳ４３の処理により、レセプショニストアプリのフィールドにおける末尾のレコードに端末１０ｄｄの端末ＩＤ「０１ｄｄ」が追加される（図６（Ｂ）参照）。
【００７８】
続いて、任意の端末１０から通信の開始要求が送られてくると、ステップＳ４８の処理により、レセプショニストアプリのフィールドの先頭のレコードから端末１０ｃｃの端末ＩＤ「０１ｃｃ」が取り出される（図６（Ｃ）参照）。
【００７９】
続いて、任意の端末１０から通信の開始要求が送られてくると、ステップＳ４８の処理により、レセプショニストアプリのフィールドの先頭のレコードから端末１０ｄｄの端末ＩＤ「０１ｄｄ」が取り出される（図６（Ｄ）参照）。
【００８０】
続いて、端末１０ａａから通信の開始要求が送られてくると、ステップＳ４７の処理により、ゲストアプリのフィールドに端末１０ａａの端末ＩＤ「０１ａａ」が追加される（図６（Ｅ）参照）。
【００８１】
続いて、端末１０ｂｂから通信の開始要求が送られてくると、ステップＳ４７の処理により、ゲストアプリのフィールドにおける末尾のレコードに端末１０ｂｂの端末ＩＤ「０１ｂｂ」が追加される（図６（Ｆ）参照）。
【００８２】
続いて、終話の受け付けに応じて、端末１０ｃｃから「応答可能」な状態を示す状態情報が新たに送られてくると、ステップＳ４４の処理により、ゲストアプリのフィールドの先頭のレコードから端末１０ａａの端末ＩＤ「０１ａａ」が取り出される（図６（Ｆ）参照）。
【００８３】
続いて、終話の受け付けに応じて、端末１０ｄｄから「応答可能」な状態を示す状態情報が送られてくると、ステップＳ４４の処理により、ゲストアプリのフィールドの先頭のレコードから端末１０ｂｂの端末ＩＤ「０１ｂｂ」が取り出される。これにより、待機端末管理テーブルは再び空の状態になる。このとき、レセプショニスト側においてもゲスト側においても通信の開始を待機している端末１０がなくなる。
【００８４】
（セッション確立）
続いて、図１０を用いて、制御装置５０による制御に基づいて端末１０間のセッションを確立する処理について説明する。図１０は、セッションを確立する処理を示したシーケンス図である。
【００８５】
ステップ（Ｓ４４，Ｓ４８）において、待機端末管理テーブルから端末ＩＤが取り出される（デキューされる）と、管理システム５は、デキューされた端末１０が通信を開始するよう制御する。この制御として、一実施形態に係る管理装置６０の送受信部６１は、開始要求を発信させるため、宛先の端末１０の端末ＩＤをゲスト側の端末１０へ送信する（ステップＳ６１）。例えば、「応答可能」な状態を示す状態情報の受信を契機として、ゲストアプリのフィールドの端末ＩＤがデキューされた場合には（ステップＳ４４参照）、送受信部６１は、その「応答可能」な状態を示す状態情報を送信したレセプショニスト側の端末１０の端末ＩＤを、デキューされた端末ＩＤによって識別されるゲスト側の端末１０へ送信する。一方、開始要求の受信を契機として、レセプショニストアプリのフィールドの端末ＩＤがデキューされた場合には（ステップＳ４８参照）、送受信部６１は、デキューされたレセプショニスト側の端末１０の端末ＩＤを、開始要求を送信した開始要求元のゲスト側の端末１０へ送信する。
【００８６】
ゲスト側の端末１０の送受信部１１は、管理装置６０から送られてきた端末ＩＤを受信すると、自動的に、宛先を示す情報として受信した端末ＩＤを含む通信の開始要求を制御装置５０へ送信する（ステップＳ６２）。制御装置５０は、公知の呼制御方法により、開始要求元の端末１０と宛先の端末１０との間でコンテンツデータを送信するためのセッションを確立するための制御を行う。この場合、例えば、制御装置５０の送受信部５１は、ゲスト側の端末１０から送られてきた開始要求を、開始要求に含まれている端末ＩＤによって識別される宛先のレセプショニスト側の端末１０へ送信する（ステップＳ６３）。レセプショニスト側の端末１０の送受信部１１は、制御装置５０から送られてきた通信の開始要求を受信すると、自動的に、通信の開始を許可する旨の応答を制御装置５０へ送信する（ステップＳ６４）。
【００８７】
制御装置５０の送受信部５１が通信の開始を許可する旨の応答を受信すると、セッション制御部５８は、送受信部１１に、宛先の端末１０から送られてきた応答、及び、中継装置３０へ接続するための中継装置接続情報を開始要求元のゲスト側の端末１０へ送信させる（ステップＳ６５）。更に、セッション制御部５８は、送受信部１１に、中継装置３０へ接続するための中継装置接続情報を宛先のレセプショニスト側の端末１０へ送信させる（ステップＳ６６）。なお、上記の中継装置接続情報は、中継装置３０のＩＰアドレス、認証情報、ポート番号等を含んでいても良い。
【００８８】
ゲスト側の端末１０及びレセプショニスト側の端末１０の送受信部１１は、管理装置６０から送られてきた中継装置接続情報を中継装置３０へ送信する（ステップＳ６７，Ｓ６８）。これにより、ゲスト側の端末１０及びレセプショニスト側の端末１０がそれぞれ中継装置３０と接続することで、ゲスト側の端末１０とレセプショニスト側の端末１０との間のセッションが確立される。セッションが確立されてから、ゲスト側の端末１０及びレセプショニスト側の端末１０は、自端末１０において生成された画像データ及び音データを中継装置３０へ送信する。中継装置３０は、一方の端末１０から送られてきた画像データ及び音データを他方の端末１０へ送信する。これにより、ゲスト側の端末１０とレセプショニスト側の端末１０との間で相互に画像データ及び音データが送信されることになる。
【００８９】
＜＜実施形態の主な効果＞＞
続いて、上記実施形態の主な効果を説明する。
【００９０】
端末（１０ｃｃ，１０ｄｄ）において、レセプショニストアプリによって実現される送受信部１１（端末の送信手段の一例）は、通信の開始要求に対して操作入力を受け付けることなく応答を送信することができる。管理装置６０の待機端末管理ＤＢ６００１（管理手段の一例）は、一以上の端末（１０ｃｃ，１０ｄｄ）のうち、通信の開始を待機している端末１０の端末ＩＤを管理する。管理装置６０の送受信部６１（管理システムの送信手段の一例）は、待機端末管理ＤＢ６００１において管理されている端末ＩＤを、宛先を示す情報（宛先情報の一例）として通信の開始要求元のゲスト側の端末１０へ送信する。なお、送信される情報は、端末ＩＤに限られず、この端末ＩＤによって識別される端末１０への宛先を示すドメイン情報、ＩＰアドレス等であっても良い。開始要求元のゲスト側の端末１０が宛先情報に基づいてレセプショニスト側の端末１０へ開始要求を送信すると、レセプショニスト側の端末１０では、送受信部１１（端末の応答手段の一例）が、この開始要求に対して操作入力を受け付けることなく自動的に応答する。これにより、開始要求元の端末１０が通信の開始を要求してから通信が開始されるまでの待機時間が短縮される。
【００９１】
管理装置６０の送受信部６１（受信手段の一例）は、通信の開始要求に対して「応答可能」である状態を示す状態情報を受信する。管理装置６０の管理部６３（更新手段の一例）は、送受信部６１によって「応答可能」である状態を示す状態情報が受信されてから、この状態情報の送信元の端末１０の端末ＩＤを追加し、送受信部６１によって端末ＩＤが通信の開始要求元の端末１０へ送信されるときに、この端末ＩＤを削除することにより、待機端末管理ＤＢ６００１において管理される情報を更新する。これにより、管理装置６０は、通信の開始を待機する端末１０のキューを適切に管理できるようになる。
【００９２】
管理装置６０の送受信部６１は、通信の開始要求に対して「応答不可能」である状態を示す状態情報を受信する。管理装置６０の管理部６３は、送受信部６１によって「応答不可能」である状態を示す状態情報が受信されてから、この状態情報の送信元の端末１０の端末ＩＤを削除することにより、待機端末管理ＤＢ６００１において管理される情報を更新する。これにより、端末（１０ｃｃ，１０ｄｄ）の利用者が応答できなくなったときに、管理装置６０は、開始要求元の端末１０から、端末（１０ｃｃ又は１０ｄｄ）へ開始要求を送信しないように制御することが可能となる。
【００９３】
待機端末管理ＤＢ６００１において、複数の端末ＩＤが管理されている場合に、送受信部６１は、複数の端末ＩＤのうち最先に追加された端末ＩＤを通信の開始要求元の端末１０へ送信する。これにより、管理装置６０は、通信の開始要求元の端末１０から待機時間が最も長い端末１０に対して開始要求を送信するように制御することができる。
【００９４】
＜＜実施形態の補足＞＞
上記実施形態では、管理装置６０が、制御装置５０とは異なる装置である場合について説明したが、本発明はこのような実施形態に限定されない。例えば、制御装置５０は、上記の管理装置６０の各機能部を備えていても良い。
【００９５】
上記実施形態では、端末（１０ａａ，１０ｂｂ）には、ゲストアプリがインストールされており、端末（１０ｃｃ，１０ｄｄ）には、レセプショニストアプリがインストールされている例について説明したが、本発明はこのような実施形態に限定されない。例えば、端末（１０ａａ，１０ｂｂ，１０ｃｃ，１０ｄｄ）には、レセプションサービス用の同一のアプリがインストールされていても良い。この場合、端末１０にインストールされたアプリは、利用者による役割の選択、あるいは、着脱可能な記録媒体１０１０に記録された役割を示す情報等に基づいて、上記実施形態におけるゲストアプリによる機能又はレセプショニストアプリによる機能を選択的に実現する。
【符号の説明】
【００９６】
１  通信システム
２  通信ネットワーク
５  管理システム
１０  端末
１１  送受信部
１２  受付部
１３  通信制御部
１７  表示制御部
１９  記憶・読出部
３０  中継装置
５０  制御装置
５１  送受信部
５８  セッション制御部
５９  記憶・読出部
６０  管理装置
６１  送受信部
６３  管理部
６９  記憶・読出部
７０  ストレージサービス
１０００  記憶部
５０００  記憶部
６０００  記憶部
６００１  待機端末管理ＤＢ
【先行技術文献】
【特許文献】
【００９７】
【特許文献１】特開２００５−０６４８６０号公報
【図１】
2016123010.tif 000003
【図２】
2016123010.tif 000004
【図３】
2016123010.tif 000005
【図４】
2016123010.tif 000006
【図５】
2016123010.tif 000007
【図６】
2016123010.tif 000008
【図７】
2016123010.tif 000009
【図８】
2016123010.tif 000010
【図９】
2016123010.tif 000011
【図１０】
2016123010.tif 000012